(57)【要約】  ＡＶストリームコピー方法、装置及びＡＶコンテンツコピー方法を提供する。ＡＶストリームコピー装置は、入力されたＡＶストリームコピー命令がＡＶストリームのコピー制御情報と相応しない場合、新たなコピー制御情報が含まれたコピー制御情報クーポンの入力を指示し、入力されたコピー制御情報クーポンからコピー制御情報を抽出してＡＶストリームのコピーを指示するＡＶストリームコピー制御部と、ＡＶストリームコピー制御部のコピー制御情報クーポンの入力指示によって、コピー制御情報クーポンを入力されるコピー制御情報クーポン入力部と、ＡＶストリームコピー制御部のＡＶストリームコピー指示及び抽出されたコピー制御情報によって、ＡＶストリームのコピー制御情報を変更してＡＶストリームをコピーするＡＶストリームコピー部とを備える。
2007510998.tif 000002
【特許請求の範囲】
【請求項１】
（１）ＡＶストリームのコピー命令を入力されるステップと、
（２）入力されたコピー命令がＡＶストリームのコピー制御情報と相応しない場合、新たなコピー制御情報を含むコピー制御情報クーポンを入力されるステップと、
（３）前記コピー制御情報クーポンに含まれた新たなコピー制御情報によってＡＶストリームのコピー制御情報を変更して、ＡＶストリームをコピーするステップと、を含むことを特徴とするＡＶストリームコピー方法。
【請求項２】
前記コピー制御情報クーポンは、新たなコピー制御情報を含むコピー制御情報識別子が暗号化されたことを特徴とする請求項１に記載のＡＶストリームコピー方法。
【請求項３】
前記コピー制御情報クーポンを解読して抽出されたコピー制御情報識別子が、前記ＡＶストリームのコピー制御情報識別子と相応する場合にのみ前記ステップ（３）を行うことを特徴とする請求項２に記載のＡＶストリームコピー方法。
【請求項４】
前記ステップ（２）で、前記コピー制御情報クーポンは、インターネットを通じたダウンロードで入力されることを特徴とする請求項１に記載のＡＶストリームコピー方法。
【請求項５】
前記ステップ（２）で、前記コピー制御情報クーポンは、記録媒体から読み出して入力されることを特徴とする請求項１に記載のＡＶストリームコピー方法。
【請求項６】
前記ステップ（２）で、前記コピー制御情報クーポンは、ユーザのキー入力により入力されることを特徴とする請求項１に記載のＡＶストリームコピー方法。
【請求項７】
前記ステップ（２）は、前記コピー制御情報識別子をディスク識別子、装置識別子及びディスクキーで暗号化して、前記コピー制御情報クーポンを生成する過程を含むことを特徴とする請求項２に記載のＡＶストリームコピー方法。
【請求項８】
前記ステップ（２）は、前記コピー制御情報識別子をディスク識別子及びディスクキーに暗号化して、前記コピー制御情報クーポンを生成する過程を含むことを特徴とする請求項２に記載のＡＶストリームコピー方法。
【請求項９】
前記ステップ（２）は、前記コピー制御情報識別子を装置識別子及び公開キーで暗号化して、前記コピー制御情報クーポンを生成する過程を含むことを特徴とする請求項２に記載のＡＶストリームコピー方法。
【請求項１０】
前記ステップ（２）は、前記コピー制御情報識別子を公開キーで暗号化して、前記コピー制御情報クーポンを生成する過程を含むことを特徴とする請求項２に記載のＡＶストリームコピー方法。
【請求項１１】
入力されたＡＶストリームコピー命令がＡＶストリームのコピー制御情報と相応しない場合、新たなコピー制御情報が含まれたコピー制御情報クーポンの入力を指示し、入力されたコピー制御情報クーポンから新たなコピー制御情報を抽出してＡＶストリームのコピーを指示するＡＶストリームコピー制御部と、
前記ＡＶストリームコピー制御部のコピー制御情報クーポンの入力指示によって、前記コピー制御情報クーポンを入力されるコピー制御情報クーポン入力部と、
前記ＡＶストリームコピー制御部のＡＶストリームコピー指示及び前記入力されたクーポンから抽出された新たなコピー制御情報によって、ＡＶストリームのコピー制御情報を変更してＡＶストリームをコピーするＡＶストリームコピー部と、を備えることを特徴とするＡＶストリームコピー装置。
【請求項１２】
前記コピー制御情報クーポンは、新たなコピー制御情報を含むコピー制御情報識別子が暗号化されたことを特徴とする請求項１１に記載のＡＶストリームコピー装置。
【請求項１３】
前記ＡＶストリームコピー制御部は、前記コピー制御情報クーポンを解読して抽出されたコピー制御情報識別子が前記ＡＶストリームのコピー制御情報識別子と相応する場合にのみ、前記ＡＶストリームのコピーを指示することを特徴とする請求項１２に記載のＡＶストリームコピー装置。
【請求項１４】
前記コピー制御情報クーポン入力部は、前記コピー制御情報クーポンをインターネットを通じてダウンロードすることを特徴とする請求項１１に記載のＡＶストリームコピー装置。
【請求項１５】
前記コピー制御情報クーポン入力部は、前記コピー制御情報クーポンを記録媒体から読み出すことを特徴とする請求項１１に記載のＡＶストリームコピー装置。
【請求項１６】
前記コピー制御情報クーポン入力部は、前記コピー制御情報クーポンをユーザのキー入力から入力されることを特徴とする請求項１１に記載のＡＶストリームコピー装置。
【請求項１７】
前記コピー制御情報クーポンは、コピー制御情報識別子をディスク識別子、装置識別子及びディスクキーで暗号化して生成されたことを特徴とする請求項１２に記載のＡＶストリームコピー装置。
【請求項１８】
前記コピー制御情報クーポンは、コピー制御情報識別子をディスク識別子及びディスクキーで暗号化して生成されたことを特徴とする請求項１２に記載のＡＶストリームコピー装置。
【請求項１９】
前記コピー制御情報クーポンは、コピー制御情報識別子を装置識別子及び公開キーで暗号化して生成されたことを特徴とする請求項１２に記載のＡＶストリームコピー装置。
【請求項２０】
前記コピー制御情報クーポンは、コピー制御情報識別子を公開キーで暗号化して生成されたことを特徴とする請求項１２に記載のＡＶストリームコピー装置。
【請求項２１】
ＡＶストリームを含むＡＶコンテンツのコピー制御方法において、
前記ＡＶストリームに記録されたコピー制御情報、前記ＡＶストリームの識別子、新たなコピー制御情報を含むコピー制御情報クーポンを受信するステップと、
前記コピー制御情報クーポンから、前記ＡＶストリームの識別子及び新たなコピー制御情報を抽出するステップと、
前記コピー制御情報クーポンから抽出されたＡＶストリームの識別子と本来のＡＶストリームの識別子とを比較するステップと、
前記比較結果によって、前記抽出されたＡＶストリームの識別子と前記本来ＡＶストリームの識別子とが一致する場合、コピー制御情報クーポンから抽出された新たなコピー制御情報によって、ＡＶストリームのコピー制御情報を変更するステップと、を含むことを特徴とするＡＶコンテンツコピーの制御方法。
【請求項２２】
前記ＡＶストリームの識別子は、ＡＶストリームに保存された識別子またはＡＶストリームが記録された記録媒体の識別子であることを特徴とする請求項２１に記載のＡＶコンテンツコピーの制御方法。
【発明の詳細な説明】
【技術分野】
【０００１】
本発明は、デジタルデータのコピー装置に係り、さらに詳細には、ビデオ及びオーディオデータストリームのコピー制御情報を変更してコピーを行う装置及び方法に関する。
【背景技術】
【０００２】
デジタル信号処理技術の進歩発展につれて、最近には情報をデジタル方式で記録する記録装置や記録媒体が多く普及されている。このようなデジタル記録装置及び記録媒体を利用すれば、画質や音質を維持しつつ記録再生を反復できる。このように、ＡＶストリームは画質や音質を維持したままで何回も反復して実行できるために、コピーが不法に行なわれた記録媒体が市場に流通すれば、音楽映画など各種コンテンツの著作権者または正当な販売権者らの利益が損なわれてしまう。最近には、このようなＡＶストリームの不正なコピーを防止するために、デジタル記録装置及び記録媒体に不法コピーを防止するための色々な方法が導入されている。
【０００３】
例えば、ミニディスク（ＭＤ；商標）装置で、違法であるコピーを防止する方法として、ＳＣＭＳ（Ｓｅｒｉａｌ  Ｃｏｐｙ  Ｍａｎａｇｅｍｅｎｔ  Ｓｙｓｔｅｍ）が採用されている。ＳＣＭＳは、データ再生側でオーディオデータと同時にＳＣＭＳ信号をデジタルインターフェース（ＤＩＦ）から出力し、データ記録側で、再生側でのＳＣＭＳ信号に基づいて再生側でのオーディオデータの記録を制御することによって、違法であるコピーを防止するシステムである。
【０００４】
具体的には、ＳＣＭＳ信号は、オーディオデータが回数に関係なくコピーが許容されているか、１回のみ許容されているか、またはコピーが禁止されているかを表す信号である。データ記録側でＤＩＦからオーディオデータを受信すれば、そのオーディオデータと同時に送信されるＳＣＭＳ信号を検出する。そして、ＳＣＭＳ信号を自在にコピー可能な場合には、オーディオデータをＳＣＭＳ信号と同時にＭＤに記録する。また、ＳＣＭＳ信号がコピーを１回のみ許容する場合には、ＳＣＭＳ信号をコピー禁止に変更してオーディオデータと同時にＭＤに記録する。また、ＳＣＭＳ信号がコピー禁止である場合にはオーディオデータを記録しない。前記で説明したように、ＭＤ装置では、このようなＳＣＭＳを利用して、著作権を持つオーディオデータが不法にコピーされることを防止するようになっている。
【０００５】
しかし、データを記録する機器自体が、ＳＣＭＳ信号に基づいて再生側でのオーディオデータの記録を制御する構成を持っていることが前提となっているために、ＳＣＭＳに基づいて制御を実行する構成を持っていないＭＤ装置が製造された場合には、対処し難くなる。この問題を解決するために、例えば、ＤＶＤプレーヤーは、コンテンツスクランブルシステムを採用することによって、著作権を持つデータの不法コピーを防止する構成を持つ。
【０００６】
コンテンツスクランブルシステムでは、ＤＶＤ−ＲＯＭにビデオデータやオーディオデータなどが暗号化されて記録されており、その暗号化されたデータの復号に利用するキー（復号キー）がライセンスを受けたＤＶＤプレーヤーに与えられる。したがって、ライセンスを受けたＤＶＤプレーヤーでは、与えられたキーを利用してＤＶＤ−ＲＯＭで画像や音声を再生できる。
【０００７】
一方、ライセンスのないＤＶＤプレーヤーは、暗号化されたデータを復号キーためのキーを持っていないために、ＤＶＤ−ＲＯＭに記録された暗号化データの復号を行えない。このように、コンテンツスクランブルシステム構成では、ライセンス時に要求される条件を満たせないＤＶＤプレーヤーは、ＡＶストリームを記録したＤＶＤ−ＲＯＭの再生を行えなくなって不正コピーが防止されるようになっている。
【０００８】
コンテンツは、それぞれあらかじめコンテンツ提供者によって、いかなる条件で複製できるかが指定されている。したがって、ネットワーク接続においても、その指定された条件を正確に記録する側の機器に伝える必要がある。５社の主要企業の共同提案としての５Ｃ  ＤＴＣＰ（Ｄｉｇｉｔａｌ  Ｔｒａｎｓｍｉｓｓｉｏｎ  Ｃｏｎｔｅｎｔ  Ｐｒｏｔｅｃｔｉｏｎ）システムとしては、コピー制御情報（ＣＣＩ）という方法を利用して解決している。
【０００９】
暗号化モード指示子（ＥＭＩ）は、パケットヘッダにあるｓｙｎｃビットの上位２ビットを使用してＣＣＩを送るメカニズムであり、受信デバイスが簡単にＣＣＩをアクセスできると同時に、ＣＣＩ値がコンテンツを暗号化するキーに作用するために、コンテンツを安全に送れる。
【００１０】
ＡＶストリームには、コンテンツのコピー制御状態を表すＣＣＩという情報が記録されている。すなわち、コンテンツのコピー可否を表し、コンテンツ保護機能を行う最初の手段である。このＣＣＩは２ビットのコードで表示され、４類型のモードを設定できる。ＣＣＩの構成をより具体的に説明すれば、次の通りである。
【００１１】
“ｃｏｐｙ  ｆｒｅｅ”は、コンテンツが暗号化されておらず、制限なくコピーが可能な状態のＣＣＩを表す。“ｃｏｐｙ  Ｆｒｅｅ  ｂｕｔ  ｅｎｃｒｙｐｔｅｄ”は、コンテンツは暗号化されているが、コピーが制限なく可能な状態を表す。“ｃｏｐｙ  ｏｎｅ  ｇｅｎｅｒａｔｉｏｎ”は、コンテンツは暗号化されているが、コピーが１回可能な状態を表し、コピーが１回行われた後には“ｎｏ  ｆｕｒｔｈｅｒ  ｃｏｐｙｉｎｇ”にＣＣＩが変更される。“Ｃｏｐｙｉｎｇ  ｐｒｏｈｉｂｉｔｅｄ”は、コンテンツが暗号化されており、いかなるコピーも許容されない状態を表す。このような内容は、図３の表で確認できる。
【００１２】
コンテンツ供給者やコンテンツ配給者が、ＣＣＩを決定して伝送するＡＶストリームのヘッダ部分にＣＣＩを挿入し固定させて各デバイスに伝送する。ホームネットワークサーバやセットトップボックスなどのデバイス内のコピー防止モジュールが、このように伝送されたＣＣＩを分析してコピー防止過程を行う。このようなとき、コンテンツ提供者やコンテンツ配給者が定めたＣＣＩは絶対変わらず、変わってはならない。
【発明の開示】
【発明が解決しようとする課題】
【００１３】
従来の場合、コンテンツ供給者やコンテンツ配給者らがＣＣＩを決定すれば、このようなＣＣＩは絶対に変更されないために、さらに多様なサービスを行うための方法が存在できなかった。
【００１４】
例えば、一般的に映画は開封されていた後に一定期間、例えば、約１〜２週間を販売終了時点と見なす。その後には、ＤＶＤ販売などにマーケティングの方向を変えていくのである。
【００１５】
たとえば、一つのＡＶストリームが“Ｃｏｐｙｉｎｇ  ｐｒｏｈｉｂｉｔｅｄ”と配布された後２ケ月程度の初期配布過程が過ぎたとすれば、そのストリームを購買しようとする人々によりある程度購買されたと見なす。その時点でＣＣＩを変更させない限り、コピー権限を販売する等の新たなビジネスを創出できなかった。
【課題を解決するための手段】
【００１６】
本発明の第１観点によるＡＶストリームコピー方法は、入力されたコピー命令がＡＶストリームのＣＣＩと相応しない場合、新たなＣＣＩを含むＣＣＩクーポンを入力されるステップと、前記ＣＣＩクーポンから抽出された新たなＣＣＩによってＡＶストリームのＣＣＩを変更して、ＡＶストリームをコピーするステップとを含むことを特徴とする。
【００１７】
前記ＣＣＩクーポンは、ＣＣＩを含むＣＣＩ識別子（ＣＣＩ  ＩＤ）が暗号化されたことを特徴とする。
【００１８】
前記ＣＣＩクーポンを解読して抽出されたＣＣＩ  ＩＤが、前記ＡＶストリームのＣＣＩ  ＩＤと相応する場合にのみＡＶストリームをコピーすることを特徴とする。
【００１９】
前記ＣＣＩクーポンは、インターネットを通じたダウンロードで入力されることを特徴とする。前記ＣＣＩクーポンは、記録媒体から読み出して入力されることを特徴とする。前記ＣＣＩクーポンは、ユーザのキー入力により入力されることを特徴とする。前記ＣＣＩクーポンは、ＣＣＩ  ＩＤをディスクＩＤ、デバイスＩＤ及びディスクキーで暗号化して生成することを特徴とする。
【００２０】
前記ＣＣＩクーポンは、ＣＣＩ  ＩＤをディスクＩＤ及びディスクキーで暗号化して生成することを特徴とする。前記ＣＣＩクーポンは、ＣＣＩ  ＩＤをデバイスＩＤ及びコピーするコピー装置の公開キーで暗号化して生成することを特徴とする。前記ＣＣＩクーポンは、ＣＣＩ  ＩＤをコピーするコピー装置は公開キーで暗号化して生成することを特徴とする。
【００２１】
本発明の第２観点によるＡＶストリームコピー装置は、入力されたＡＶストリームコピー命令がＡＶストリームのＣＣＩと相応しない場合、新たなＣＣＩが含まれたＣＣＩクーポンの入力を指示し、入力されたＣＣＩクーポンから新たなＣＣＩを抽出してＡＶストリームのコピーを指示するＡＶストリームコピー制御部と、ＡＶストリームコピー制御部のＣＣＩクーポンの入力指示によって、前記ＣＣＩクーポンを入力されるＣＣＩクーポン入力部と、ＡＶストリームコピー制御部のＡＶストリームコピー指示及び前記抽出されたＣＣＩによって、ＡＶストリームのＣＣＩを変更してＡＶストリームをコピーするＡＶストリームコピー部と、を備えることを特徴とする。
【００２２】
前記ＣＣＩクーポンは、新たなＣＣＩを含むＣＣＩ  ＩＤが暗号化されたことを特徴とする。
【００２３】
前記ＡＶストリームコピー制御部は、前記ＣＣＩクーポンを解読して抽出されたＣＣＩ  ＩＤが前記ＡＶストリームのＣＣＩ  ＩＤと相応する場合にのみ、前記ＡＶストリームのコピーを指示することを特徴とする。
【００２４】
前記ＣＣＩクーポン入力部は、前記ＣＣＩクーポンをインターネットを通じてダウンロードすることを特徴とする。前記ＣＣＩクーポン入力部は、前記ＣＣＩクーポンを記録媒体から読み出すことを特徴とする。前記ＣＣＩクーポン入力部は、前記ＣＣＩクーポンをユーザのキー入力から入力されることを特徴とする。前記ＣＣＩクーポンは、ＣＣＩ  ＩＤをディスクＩＤ、デバイスＩＤ及びディスクキーで暗号化して生成されたことを特徴とする。
【００２５】
前記ＣＣＩクーポンは、ＣＣＩ  ＩＤをディスクＩＤ及びディスクキーで暗号化して生成されたことを特徴とする。前記ＣＣＩクーポンは、ＣＣＩ  ＩＤをデバイスＩＤ及びコピーするコピー装置の公開キーで暗号化して生成されたことを特徴とする。前記ＣＣＩクーポンは、ＣＣＩ  ＩＤをコピーするコピー装置の公開キーで暗号化して生成されたことを特徴とする。
【００２６】
本発明の第３観点によるＡＶストリームコピー装置は、ＡＶストリームを含むＡＶコンテンツのコピー制御方法において、前記ＡＶストリームに記録されたＣＣＩ、前記ＡＶストリームのＩＤ、新たなＣＣＩを含むＣＣＩクーポンを受信するステップと、前記ＣＣＩクーポンから、前記ＡＶストリームのＩＤ及び新たなＣＣＩを抽出するステップと、前記ＣＣＩクーポンから抽出されたＡＶストリームのＩＤと本来のＡＶストリームのＩＤとを比較するステップと、前記比較結果によって、前記抽出されたＡＶストリームのＩＤと前記本来ＡＶストリームのＩＤとが一致する場合、ＣＣＩクーポンから抽出された新たなＣＣＩによって、ＡＶストリームのＣＣＩを変更するステップと、を含むことを特徴とする。
【００２７】
前記ＡＶストリームのＩＤは、ＡＶストリームに保存されたＩＤまたはＡＶストリームが記録された記録媒体のＩＤであることを特徴とする。
【００２８】
このような構成により、ＡＶストリーム内に記録されたＣＣＩを変更でき、また、ＡＶストリームを選択的にコピーできる。
【発明を実施するための最良の形態】
【００２９】
本発明の前記の特徴及び長所と本発明によるその他の特徴及び長所は、次に添付された図面を参照として本発明の詳細な実施形態を通じて説明することによってさらに明確になる。
【００３０】
以下、添付された図面を参照して本発明の望ましい実施形態を説明する。
【００３１】
図１は、本発明によるＡＶストリームコピー方法の一実施形態を行うためのフローチャートである。
【００３２】
１００過程で、ユーザによりＡＶストリームコピー装置でＡＶストリームのコピー命令を入力される。ＡＶストリームコピー装置としては、ホームネットワークサーバやセットトップボックスなどが使われうる。コピー命令はコピーモードを含むが、コピーモードは、コピー制御情報（ＣＣＩ）の“ｃｏｐｙ  ｆｒｅｅ”、“ｃｏｐｙ  ｆｒｅｅ  ｂｕｔ  ｅｎｃｒｙｐｔｅｄ”、“ｃｏｐｙ  ｏｎｅ  ｇｅｎｅｒａｔｉｏｎ”のうち一つである。
【００３３】
１１０過程で、入力されたコピー命令がＡＶストリームのＣＣＩと相応するかどうかを判断する。
【００３４】
入力されたコピー命令がＡＶストリームのＣＣＩと相応すると判断されれば、ＡＶストリームをＣＣＩによってコピーする（１２０過程）。
【００３５】
もし、相応しないと判断される場合は、ＡＶストリームコピー装置はＣＣＩクーポンの入力を要求する（１３０過程）。１４０過程で、ＡＶストリームコピー装置は、新たなＣＣＩ識別子（ＣＣＩ  ＩＤ）を暗号化したＣＣＩクーポンを入力される。例えば、ＡＶストリーム上のＣＣＩが“ｎｏ  ｆｕｒｔｈｅｒ  ｃｏｐｙｉｎｇ  ｏｒ  Ｃｏｐｙｉｎｇ  ｐｒｏｈｉｂｉｔｅｄ”である場合、コピー命令として“ｃｏｐｙ  ｏｎｅ  ｇｅｎｅｒａｔｉｏｎ”が入力されるならば、ＣＣＩクーポンの入力を要求し、それにより、ＡＶストリームコピー装置はコピー制御クーポンを入力される。
【００３６】
ＣＣＩクーポンは、ＣＣＩ  ＩＤを暗号化して生成される。ＣＣＩ  ＩＤは、コンテンツ提供者のみ知っている非公開データであり、ＣＣＩ  ＩＤの最後の数字はＣＣＩ状態を表す。このようなＣＣＩ  ＩＤは、図４で確認できるように、一つのコンテンツに対して一つではなく複数個のセットで構成される。
【００３７】
図４は、ＡＶストリームのＣＣＩコード及び状態とそれに対応するＣＣＩ  ＩＤとを示す表である。図４で確認できるように、ＡＶストリームは、ＤＶＤディスクのような記録媒体に保存されたデータストリームでもよく、デジタルＴＶチャンネル上で放送されるデータストリームでもよい。
【００３８】
ＣＣＩを暗号化する方法は、多様に考慮できる。最も望ましい方法は、ＡＶストリームがコピーされるディスク識別子（Ｄｉｓｋ  ＩＤ）、ディスクキー（ＤＩＳＫ  Ｋｅｙ）及びコピーを行うコピー装置の識別子（Ｄｅｖｉｃｅ  ＩＤ）を利用することである。このようにディスクＩＤ及びデバイスＩＤを使用することは、ＣＣＩクーポンが指定された装置及び指定されたディスクのみのために使用されるためである。すなわち、ディスクバインディング及びデバイスバインディングを行うことである。
【００３９】
図５は、コンテンツ販売店がユーザ側からディスクＩＤ及びデバイスＩＤを伝達され、ディスクＩＤ、ディスクキー及びデバイスＩＤを利用してＣＣＩ  ＩＤを暗号化してＣＣＩクーポンを生成し、生成されたコピー制御クーポンを再びユーザ側に伝達する過程が概略的に図示されている。図５で暗号化方法はＸＯＲ演算であり、ＣＣＩクーポンは一連の数字であるということを確認できる。
【００４０】
しかし、ディスクバインディング及びデバイスバインディングが要求されない場合には、ディスクバインディングまたはデバイスバインディングのうち一つのみ行ってもよく、コピーするコピー装置の公開キーのみを利用して暗号化してもよい。
【００４１】
ディスクバインディングだけ行う場合、ＣＣＩクーポンは、ＣＣＩ  ＩＤをディスクＩＤ及びディスクキーで暗号化して生成され、デバイスバインディングのみ行う場合、ＣＣＩクーポンはＣＣＩ  ＩＤをデバイスＩＤ及び公開キーで暗号化して生成される。
【００４２】
公開キーのみを使用する場合、ＣＣＩクーポンは、ＣＣＩ  ＩＤを公開キーで暗号化して生成され、公開キーの使用方法及び相互保安は、既存の公開キーアルゴリズムを使用できる。
【００４３】
図６、図７、図８は、それぞれディスクバインディング、デバイスバインディング、及び単純に公開キーのみを使用したＣＣＩクーポン生成過程を概略的に図示している。
【００４４】
ＣＣＩクーポンはインターネットを通じてダウンロードできる。図９は、インターネットを通じてコンテンツ販売店のＣＣＩクーポン生成サーバからＣＣＩクーポンを購入する例を概略的に示した図である。
【００４５】
図９で、ユーザのホームネットワークサーバでインターネットを通じてコンテンツ販売店のＣＣＩクーポンサーバに接続して、ＣＣＩクーポンを購入する過程の一例が図示されている。
【００４６】
まず、ユーザのホームネットワークサーバが、インターネットを通じてコンテンツ販売店のサーバ接続してＣＣＩクーポンの購買を選択すれば、コンテンツ販売店のサーバは、購買メニュー及び価格をディスプレイする。図１０は、伝送されるＣＣＩクーポン購買メニューディスプレイ画面の一例である。
【００４７】
次いで、ユーザのホームネットワークサーバは、ディスクＩＤ及びデバイスＩＤを伝送し、ユーザが選択したＣＣＩ
ＩＤをディスクＩＤとデバイスＩＤ及びディスクキーでＸＯＲ演算したキーをもって暗号化した一連番号、すなわち、ＣＣＩクーポンを生成した後、それをユーザ側のサーバに伝送する。ダウンロードされたコピー制御クーポンは、ホームネットワークサーバのフラッシュＲＯＭのような所定の保存装置に保存されうる。
【００４８】
また、他の実施形態では、ＣＣＩクーポンは記録媒体から読み出して入力されてもよく、ユーザのキー入力により入力されてもよい。図１１は、記録媒体から入力される構成及びユーザのキー入力により入力される構成を概略的に図示している。
【００４９】
ＣＣＩクーポンが記録媒体から入力される構成の場合、デバイスＩＤ及びディスクＩＤを把握するために、装置販売時に提供されるデバイスＩＤが含まれた設置ＣＤ及びコピーされるＣＤを直接コンテンツ販売店に提供し、コンテンツ販売店では二つのＣＤを利用して自動的にＣＣＩクーポンが保存された記録媒体をユーザに提供し、ＡＶストリームのコピー時、ホームネットワークサーバはこの記録媒体からＣＣＩクーポンを読み出す。
【００５０】
ＣＣＩクーポンがユーザのキー入力により入力される構成の場合、コンテンツ販売店でＣＣＩクーポンを記録媒体に保存して提供するものではなく、コピー制御クーポンが記載された用紙をユーザに提供して、ユーザがＡＶストリームコピー装置のキー入力手段で直接ＣＣＩクーポンを入力する。
【００５１】
ＣＣＩクーポンが入力されれば、ＣＣＩクーポンを解読してＣＣＩ  ＩＤを抽出する（１５０過程）。１６０過程で、抽出されたＣＣＩ  ＩＤがＡＶストリームのＣＣＩ  ＩＤと相応しているかどうかを確認する。
【００５２】
コンテンツのヘッドにはＣＣＩが存在する。このようなＣＣＩは普通暗号化されている。このようなＣＣＩと共に暗号化されたＣＣＩ  ＩＤが、コンテンツの補助パケットに共に伝送される。現在提示されている方法のように、ＣＣＩがコンテンツキーで暗号化され、コンテンツキーはデバイスのデバイスキーで暗号化されて、暗号化されたＣＣＩ及び暗号化されたコンテンツキーがコンテンツと共に提供される。
【００５３】
ディスクＩＤとデバイスＩＤ及びディスクキーで作ったＣＣＩクーポンキーでＣＣＩクーポンを解読して、ＣＣＩ  ＩＤを抽出する。抽出されたＣＣＩ  ＩＤを、ＡＶストリームと共に伝送される暗号化されたＣＣＩと相応するかどうかを確認する。ＣＣＩ  ＩＤの最後の部分がＣＣＩ状態であるために、ＣＣＩの２つの状態を比較できる。
【００５４】
抽出されたＣＣＩ  ＩＤと、ＡＶストリームに含まれたＣＣＩ  ＩＤとは、最後のＣＣＩ状態のみを除いては同一でなければならないために、ＣＣＩ状態を除外したＣＣＩ  ＩＤが同一であるかどうかを比較することである。
【００５５】
抽出されたＣＣＩ  ＩＤと、ＡＶストリームに含まれたＣＣＩ  ＩＤとが相応しない場合、ＡＶストリームのコピーは行われずに終了し、相応する場合には抽出されたＣＣＩ  ＩＤ番号によってＡＶストリームのＣＣＩを変更して、ＡＶストリームをコピーする（１７０過程）。
【００５６】
図２は、本発明によるＡＶストリームコピー装置の一実施形態を示した概略的なブロック図である。図２のＡＶストリームコピー装置２００の内部で、ＡＶストリームコピー制御部２１０がＣＣＩクーポン入力部２１０及びＡＶストリームコピー部と連結されている。
【００５７】
ＡＶストリームコピー制御部２１０は、入力されたＡＶストリームコピー命令がコピーされるＡＶストリームのＣＣＩと相応しない場合、暗号化された新たなＣＣＩを含むＣＣＩクーポンを入力するように指示する。
【００５８】
コピー命令はユーザにより入力されるが、ＡＶストリームコピー装置としては、ホームネットワークサーバやセットトップボックスなどが使われうる。コピー命令はコピーモードを含むが、コピーモードは、ＣＣＩの“ｃｏｐｙ  ｆｒｅｅ”、“ｃｏｐｙ  ｆｒｅｅ  ｂｕｔ  ｅｎｃｒｙｐｔｅｄ”、“ｃｏｐｙ  ｏｎｅ  ｇｅｎｅｒａｔｉｏｎ”のうち一つである。
【００５９】
入力されたコピー命令がＡＶストリームのＣＣＩと相応するかどうかを判断し、相応すると判断される場合は、ＡＶストリームコピー制御部２１０は、ＡＶストリームをＣＣＩによってコピーするように指示する。
【００６０】
もし、相応しないと判断されれば、ＡＶストリームコピー装置２００は、ＣＣＩクーポンの入力を要求し、暗号化された新たなＣＣＩを含むＣＣＩクーポンを入力される。例えば、ＡＶストリーム上のＣＣＩが“ｎｏ  ｆｕｒｔｈｅｒ  ｃｏｐｙｉｎｇ  ｏｒ  Ｃｏｐｙｉｎｇ  ｐｒｏｈｉｂｉｔｅｄ”である場合、コピー命令として“ｃｏｐｙ  ｏｎｅ  ｇｅｎｅｒａｔｉｏｎ”が入力されるならば、ＣＣＩクーポンの入力を要求し、それによりＡＶストリームコピー装置２００はコピー制御クーポンを入力される。
【００６１】
ＣＣＩクーポンは、ＣＣＩ  ＩＤを暗号化して生成される。ＣＣＩ  ＩＤは、コンテンツ提供者のみ知っている非公開データであり、ＣＣＩ  ＩＤの最後の数字はＣＣＩ状態を表す。このようなＣＣＩ  ＩＤは、図４で確認できるように、一つのコンテンツに対して一つではなく複数個のセットで構成される。
【００６２】
図４は、ＡＶストリームのＣＣＩコード及び状態とそれに対応するＣＣＩ  ＩＤを示す表である。図４で確認できるように、ＡＶストリームは、ＤＶＤディスクのような記録媒体に保存されたデータストリームでもよく、デジタルＴＶチャンネル上で放送されるデータストリームでもよい。
【００６３】
ＣＣＩを暗号化する方法は多様に考慮できる。最も望ましい方法は、ＡＶストリームがコピーされるディスクのＩＤ、ディスクキー及びコピーするコピー装置のＩＤを利用することである。このようにディスクＩＤ及びデバイスＩＤを使用することは、ＣＣＩクーポンが指定された装置及び指定されたディスクのみのために使用されるためである。すなわち、ディスクＩＤ及びデバイスＩＤを使用して、ディスクバインディング及びデバイスバインディングを行うことである。
【００６４】
図５は、コンテンツ販売店がユーザ側からディスクＩＤ及びデバイスＩＤを伝達され、ディスクＩＤ、ディスクキー及びデバイスＩＤを利用してＣＣＩ  ＩＤを暗号化してＣＣＩクーポンを生成し、生成されたコピー制御クーポンを再びユーザ側に伝達する過程が概略的に図示されている。図５で、暗号化方法はＸＯＲ演算であり、ＣＣＩクーポンは一連の数字であるということを確認できる。
【００６５】
しかし、ディスクバインディング及びデバイスバインディングが要求されない場合には、ディスクバインディングまたはデバイスバインディングのうち一つのみ行ってもよく、公開キーのみを利用して暗号化してもよい。
【００６６】
ディスクバインディングのみ行う場合、ＣＣＩクーポンは、ＣＣＩ  ＩＤをディスクＩＤ及びディスクキーで暗号化して生成され、デバイスバインディングのみ行う場合、ＣＣＩクーポンは、ＣＣＩ  ＩＤをデバイスＩＤ及びコピーするコピー装置の公開キーで暗号化して生成される。
【００６７】
公開キーのみを使用する場合、ＣＣＩクーポンは、ＣＣＩ  ＩＤを公開キーで暗号化して生成され、公開キーの使用方法及び相互保安は、既存の公開キーアルゴリズムを使用できる。
【００６８】
図６、図７、図８は、それぞれディスクバインディング、デバイスバインディング、及び単純に公開キーのみを使用したＣＣＩクーポン生成過程を概略的に図示している。
【００６９】
ＣＣＩクーポン入力部２２０は、ＡＶストリームコピー制御部（２１０）の命令によって前記ＣＣＩクーポンを入力される。
【００７０】
ＣＣＩクーポンは、インターネットを通じてダウンロードできる。図９は、インターネットを通じてコンテンツ販売店のＣＣＩクーポン生成サーバからＣＣＩクーポンを購入する例を概略的に示した図である。
【００７１】
図９に、ユーザのホームネットワークサーバで、インターネットを通じてコンテンツ販売店のＣＣＩクーポンサーバに接続してＣＣＩクーポンを購入する過程の一例が図示されている。
【００７２】
まず、ユーザのホームネットワークサーバがインターネットを通じてコンテンツ販売店のサーバに接続して、ＣＣＩクーポンの購買を選択すれば、コンテンツ販売店のサーバは、購買メニュー及び価格をディスプレイする。図１０は、伝送されるＣＣＩクーポン購買メニューディスプレイ画面の一例である。
【００７３】
次いで、ユーザのホームネットワークサーバはディスクＩＤ及びデバイスＩＤを伝送し、ユーザが選択したＣＣＩ
ＩＤを、ディスクＩＤとデバイスＩＤ及びディスクキーでＸＯＲ演算して生成されたキーをもって暗号化した一連番号、すなわち、ＣＣＩクーポンを生成した後、それをユーザ側のホームネットワークサーバに伝送する。ダウンロードしたコピー制御クーポンは、ホームネットワークサーバのフラッシュＲＯＭのような所定の保存装置に保存されうる。
【００７４】
また、他の実施形態では、ＣＣＩクーポンは記録媒体から読み出して入力されてもよく、ユーザのキー入力により入力されてもよい。図１１は、記録媒体から入力される構成及びユーザのキー入力により入力される構成を概略的に図示している。
【００７５】
ＣＣＩクーポンが記録媒体から入力される構成は、デバイスＩＤ及びディスクＩＤを把握するために、装置販売時に提供されるデバイスＩＤが含まれた設置ＣＤ及びコピーされるＣＤを直接コンテンツ販売店に直接提供し、コンテンツ販売店では、二つのＣＤを利用して自動的にＣＣＩクーポンが保存された記録媒体をユーザに提供し、ＡＶストリームのコピー時、ホームネットワークサーバはその記録媒体からＣＣＩクーポンを読み出す。
【００７６】
ＣＣＩクーポンがユーザのキー入力により入力される構成は、コンテンツ販売店でＣＣＩクーポンを記録媒体に保存して提供するものではなく、コンテンツ販売店がコピー制御クーポンが記載された用紙をユーザに提供して、ユーザがＡＶストリームコピー装置２００のキー入力手段で直接ＣＣＩクーポンを入力する。
【００７７】
ＡＶストリームコピー制御部２１０はまた、ＣＣＩクーポン入力部２２０を通じて入力されたＣＣＩクーポンを解読して抽出されたＣＣＩ  ＩＤが、前記ＡＶストリームのＣＣＩ  ＩＤと相応するかどうかを確認する。
【００７８】
ＣＣＩクーポンがＡＶストリームコピー装置２００に入力されれば、ＡＶストリームコピー制御部２１０は、ＣＣＩクーポンを解読してＣＣＩ  ＩＤを抽出し、抽出されたＣＣＩ  ＩＤがＡＶストリームのＣＣＩ  ＩＤと相応するかどうかを確認する。
【００７９】
コンテンツのヘッダにはＣＣＩが存在する。このようなＣＣＩは、普通暗号化されている。このようなＣＣＩと共に暗号化されたＣＣＩ  ＩＤがコンテンツの補助パケットに共に伝送される。現在提示されている方法のように、このようなＣＣＩはコンテンツキーで暗号化され、コンテンツキーはデバイスのデバイスキーで暗号化されて、暗号化されたＣＣＩ及び暗号化されたコンテンツキーは、コンテンツと共に提供される。
【００８０】
ディスクＩＤとデバイスＩＤ及びディスクキーで作ったＣＣＩクーポンキーをもってＣＣＩクーポンを解読して、ＣＣＩ  ＩＤを抽出する。抽出されたＣＣＩ  ＩＤを、ＡＶストリームと共に伝送される暗号化されたＣＣＩと相応するかどうかを確認する。ＣＣＩ  ＩＤの最後の部分がＣＣＩ状態であるために、ＣＣＩの２つの状態を比較できる。
【００８１】
抽出されたＣＣＩ  ＩＤとＡＶストリームに含まれたＣＣＩ  ＩＤとは、最後のＣＣＩ状態のみを除いては同一でなければならないために、ＣＣＩ状態を除外したＣＣＩ  ＩＤが同一であるかどうかを比較することである。
【００８２】
ＡＶストリームコピー制御部２１０は、両ＣＣＩ  ＩＤが相応しない場合にはＡＶストリームのコピーは行われずに終了するように指示し、相応する場合には、前記ＡＶストリームをコピーするように指示する。
【００８３】
ＡＶストリームコピー部２３０は、ＡＶストリームコピー制御部２１０のＡＶストリームコピー命令及び抽出されたＣＣＩ  ＩＤ番号によって、ＡＶストリームのＣＣＩを変更してＡＶストリームをコピーする。
【産業上の利用可能性】
【００８４】
本発明は、ＡＶストリーム内に記録されたＣＣＩを変更することによって、ＡＶストリームのコピーを選択的に行えるようにする。これによって、映画などのＡ／Ｖコンテンツ供給者は、時期によって自分の必要に応じる多様なサービスを提供できる。
【００８５】
また、ＣＣＩを暗号化して伝達するために、ＣＣＩの不正変更を防止できる。
【００８６】
本発明は一部の実施形態により説明されたが、本発明は、ＡＶストリームの保存及び再生に使われるあらゆるデジタル家電製品に応用できる。
【００８７】
本発明は一部の実施形態により説明されたが、特許請求の範囲により決まる本発明の技術的思想及び保護範囲内で、多様な形態に変形及び改良が可能であるということを当業者ならば理解できるであろう。
【図面の簡単な説明】
【００８８】
【図１】本発明によるＡＶストリームコピー方法の一実施形態を行うためのフローチャートである。
【図２】本発明によるＡＶストリームコピー装置の一実施形態による概略的なブロック図である。
【図３】ＡＶストリームのＣＣＩコード及び相応する状態を示す表である。
【図４】ＣＣＩ  ＩＤのコード及び状態の例を示す表である。
【図５】ＣＣＩ  ＩＤをディスクＩＤ、ディスクキー及びデバイスＩＤで暗号化して、生成されたＣＣＩクーポンを入力される例を示す図である。
【図６】ＣＣＩ  ＩＤをディスクＩＤ及びディスクキーで暗号化して、生成されたＣＣＩクーポンを入力される例を示す図である。
【図７】ＣＣＩ  ＩＤをデバイスＩＤ及び公開キーで暗号化して、生成されたＣＣＩクーポンを入力される例を示す図である。
【図８】ＣＣＩ  ＩＤを公開キーで暗号化して、生成されたＣＣＩクーポンを入力される例を示す図である。
【図９】インターネットを通じてＣＣＩクーポンを入力される例を示す図である。
【図１０】ＣＣＩクーポンを購買するためのメニューの例を示す表である。
【図１１】ＣＣＩクーポンが入力された記録媒体を通じて入力される例及び、ユーザのキー入力により入力される例を示す図である。
【図１】
2007510998.tif 000003
【図２】
2007510998.tif 000004
【図３】
2007510998.tif 000005
【図４】
2007510998.tif 000006
【図５】
2007510998.tif 000007
【図６】
2007510998.tif 000008
【図７】
2007510998.tif 000009
【図８】
2007510998.tif 000010
【図９】
2007510998.tif 000011
【図１０】
2007510998.tif 000012
【図１１】
2007510998.tif 000013
【国際調査報告】
2007510998.tif 000014
2007510998.tif 000015